(57)【要約】【課題】ペットボトル本体に、キャップを確実に保持することができるペットボトルキャップを提供する。【解決手段】蓋部１と、開栓後にペットボトル側に残るリング部３と、蓋部１とリング部３を接続し初開栓時に切断される接続部２と、を有するペットボトルのキャップにおいて、蓋部１とリング部３を連繋する連繋可撓部４を取り付けてなる。【選択図】図１
2006143321.tif 000002
【特許請求の範囲】
【請求項１】
蓋部１と、開栓後にペットボトル側に残るリング部３と、蓋部１とリング部３を接続し初開栓時に切断される接続部２と、を有するペットボトルのキャップにおいて、蓋部１とリング部３を連繋する連繋可撓部４を取り付けてなることを特徴とする、キャップ保持機能を有するペットボトルのキャップ。
【発明の詳細な説明】
【技術分野】
【０００１】本発明はペットボトルのキャップをペットボトルに保持するための技術に関する。
【背景技術】
【０００２】従来のペットボトルのキャップ保持具には、キャップ保持のために専用の保持部を有する技術がある（例えば、特許文献１特開２００１−７２１２０参照。）。
【発明の開示】
【発明が解決しようとする課題】
【０００３】近年の飲料物の容器においては、開栓した後も再度キャップを閉じることにより飲み残しを携行可能という特長を有するペットボトルが普及してきている。しかしながら、キャップがペットボトルと別体となっているため、誤って無くしてしまったり、落として汚してしまったり、ペットボトルを持っている手とは反対の手で常にキャップを保持しておく必要があるため、ペットボトルを再度密封して携行可能という便利さの陰には不便さという大きな課題が存在していた。【０００４】これを解決するための背景技術として、キャップ保持具なる技術が存在するが、ペットボトルは使い捨て商品であることからコストのかかる技術は実用的では無いという問題がある。またペットボトル飲料物は自動販売機により販売されることが多く、機械内部で外れたり、引っかかってしまう恐れのある構造は採用できないという問題がある。このことから現段階で考案されているキャップ保持技術は広く普及するには至っていないという課題がある。
【課題を解決するための手段】
【０００５】ペットボトルのキャップは、回転して開閉する蓋部１と、開栓後もペットボトル側に残るリング部３と、蓋部１とリング部３を接続する接続部２の３つの部分から構成されており、一般的には一体成型により製造される。初開栓時においてはこの接続部２が切断されて蓋部１とリング部３が分離する仕組みを有することにより、初開栓時まで未開栓であることが保証される仕組みとなっている。【０００６】本発明品は、この蓋部１とリング部３の間に、開栓後も切断されない連繋可撓部４を有することにより、キャップ開栓後に蓋部１をペットボトル５に保持可能とする。
【発明の効果】
【０００７】本発明により、キャップをペットボトルに保持することが可能となることから、現行普及品の欠点、すなわちキャップがペットボトルと別体となっているため誤って無くしてしまったり、キャップを落として汚してしまったり、ペットボトルを持っている手とは反対の手で常にキャップを持っている必要があるという不便さという課題を解決することができる。【０００８】また本発明品は、キャップ部と一体成型されて製造されるため、コンパクトであり、かつ容易には外れない構造であることから既存自動販売機でも安全確実に販売することができ、現在普及しているキャップと同じ製造工程およびコストで製造が可能であるとともに、キャップをペットボトルに取り付ける工程においても一切追加工程が発生しないため、現行普及品と比べて一切追加コストが発生することなく上記課題を解決可能であるという優れた特長を有する。
【発明を実施するための最良の形態】
【０００９】用途によってはペットボトルにキャップを保持する必要がない利用形態も考えられ、またペットボトルのリサイクル時に蓋部１は分別可能であることが望ましいことから、連繋可撓部４は力を加えれば引きちぎれる程度の強度が望ましい。【００１０】また、蓋部に飲料物が付着していることがあることから、開栓時に蓋部が下向きにならないよう、連繋可撓部４は図１のように扁平構造、もしくは複数の連繋可撓部を有する図２のような構造であることが望ましい。【００１１】更に、連繋可撓部４をキャップ本体に沿って斜めに取り付けることにより、キャップから連繋可撓部４が飛び出ることなくスマートに連繋可撓部４を取り付けることが可能となる。
【実施例１】
【００１２】図１は、本発明の第一の実施例を示す斜視図である。図示の通り、本発明品のキャップは蓋部１、接続部２、リング部３、および蓋部１とリング部３を連繋する連繋可撓部４により構成されている。【００１３】図４、図５、図６は、図１のキャップをペットボトルに取り付けた状態を示す。図４はキャップをペットボトルに取り付けた状態で未開栓の状態を示す。キャップは未開栓のため、蓋部１とリング部３は接続部２で接続されている。図５はキャップ開栓途中の状態を示している。開栓のためキャップ部を回転することにより、ペットボトルの首部から持ち上がらないように取り付けられているリング部３から蓋部１が離れるため接続部２は切断される。このとき連繋可撓部４は十分な長さを持っているため、蓋部１とリング部３は連繋し続ける。なおキャップの回転に伴って、蓋部１とリング部３は同時に回転する。図６は開栓後のキャップの状態を示している。蓋部１はペットボトルから外れるが、リング部３はペットボトル側に残り、連繋可撓部４が蓋部１とリング部３を連繋し続けるため、結果として蓋部１はペットボトル５に保持される。なお図１では、連繋可撓部４の蓋部１への接続位置は蓋部１の下端となっているが、キャップ開栓に伴って蓋部１が持ち上がった時でも連繋可撓部４がリング部３と連繋し続けられるだけの長さがあれば、蓋部１の中段に接続しても上端に接続しても構わない。
【実施例２】
【００１４】図２は本発明の第二の実施例を示す斜視図である。図示の通り、蓋部１とリング部３を繋ぐ連繋可撓部４が複数存在することを特長とする実施例である。
【実施例３】
【００１５】図３は本発明の第三の実施例を示す斜視図である。図示の通り、蓋部１とリング部３を繋ぐ連繋可撓部４が蓋部１とリング部３を斜めに接続することを特長とする実施例である。これにより連繋可撓部４がキャップから突出することが無くなる。図示においては右斜めに接続しているが、左斜めであっても、右斜めと左斜めを有する折り返し構造であっても構わない。また実施例２との組み合わせ、すなわち蓋部１とリング部３を斜めに繋ぐ連繋可撓部４が複数存在する構造でも構わない。
【図面の簡単な説明】
【００１６】
【図１】本発明の第一の実施の形態の斜視図である。
【図２】本発明の第二の実施の形態の斜視図である。
【図３】本発明の第三の実施の形態の斜視図である。
【図４】本発明品をペットボトルに取り付けた状態例の斜視図である。
【図５】本発明品をペットボトルから開栓途中の状態例の斜視図である。
【図６】本発明品をペットボトルから開栓した後の状態例の斜視図である。
【符号の説明】
【００１７】  １  蓋部
２  接続部
３  リング部
４  連繋可撓部
５  ペットボトル
【図１】
2006143321.tif 000003
【図２】
2006143321.tif 000004
【図３】
2006143321.tif 000005
【図４】
2006143321.tif 000006
【図５】
2006143321.tif 000007
【図６】
2006143321.tif 000008